(57)【特許請求の範囲】
【請求項１】
有機溶剤を貯留し上方が開放である洗浄槽の上端縁周囲に配設され前記有機溶剤の蒸気を吸引するために少なくとも上方向に開口した吸引口を有する吸引ダクトと、前記有機溶剤蒸気を回収または分解するために前記吸引ダクトに接続された処理装置とを備え、前記吸引口の上方向開口部の外周に立設された隔壁を有し、前記吸引口下方の前記洗浄槽外壁外周部に、空間としてのチャンバーを設けた、有機溶剤除去システム。
【請求項２】
吸引口は、上方向と洗浄槽内側の横方向の双方に開口した、請求項１記載の有機溶剤除去システム。
【請求項３】
吸引ダクトは、上方向面から洗浄槽内側の横方向面にかけて曲面形状を成し、前記吸引ダクトの吸引口は、前記曲面形状を含む前記上方向面から前記横方向面にかけて開口した、請求項２記載の有機溶剤除去システム。
【請求項４】
吸引口の上方向開口部に開閉機構を設けた、請求項２または３記載の有機溶剤除去システム。
【請求項５】
洗浄物を洗浄槽に出し入れする時に開閉機構が開となるような制御手段を設けた、請求項４記載の有機溶剤除去システム。
【請求項６】
洗浄物を洗浄槽に出し入れするための昇降手段を有し、前記昇降手段が作動した時に開閉機構が開となるような制御手段を設けた、請求項４記載の有機溶剤除去システム。
【請求項７】
洗浄物の移動を検知するセンサーを備え、前記センサーが前記洗浄物の洗浄槽への出し入れを検知した時に開閉機構が開となるような制御手段を設けた、請求項４記載の有機溶剤除去システム。
【請求項８】
洗浄物の移動を検知するセンサーは赤外線検知方式である、請求項７記載の有機溶剤除去システム。
【請求項９】
洗浄槽に貯留した有機溶剤の蒸気を、吸引ダクトの吸引口から吸引する際に、吸引風量を必要に応じて適宜調整可能とした送風手段を備えた、請求項２〜８のいずれかに記載の有機溶剤除去システム。
【請求項１０】
洗浄槽に貯留した有機溶剤の蒸気を、吸引ダクトの吸引口から吸引する際に、吸引風量を前記洗浄槽の上端縁長さ１ｍ当り毎分０．５ｍ３から毎分５．０ｍ３の範囲に調整可能とした送風手段を備えた、請求項２〜８のいずれかに記載の有機溶剤除去システム。
【請求項１１】
洗浄槽に貯留した有機溶剤の蒸気を、吸引ダクトの吸引口から吸引する際に、前記吸引口の上方向開口部の開閉機構を開にした時に、送風手段の吸引風量を所定量に増加させる、請求項４〜１０のいずれかに記載の有機溶剤除去システム。
【請求項１２】
処理装置内に有機溶剤蒸気濃度を検知する検知器を備え、洗浄槽に貯留した有機溶剤の蒸気を、吸引ダクトの吸引口から吸引する際に、前記検知器が所定以上の有機溶剤蒸気濃度を検知した時に、送風手段の吸引風量を所定量に増加させる、請求項１〜１１のいずれかに記載の有機溶剤除去システム。
【発明の詳細な説明】
【技術分野】
【０００１】
本発明は、有機溶剤を用いて工業用部品などを洗浄する開放式洗浄槽に使用される、揮発性有機化合物（ＶＯＣ）排出抑制のための有機溶剤除去システムに関する。
【背景技術】
【０００２】
近年、大気汚染防止の観点から、開放式洗浄槽を用いた工業用部品などの洗浄工程において、揮発性有機化合物（ＶＯＣ）の排出抑制、すなわち有機溶剤などの大気への蒸散防止が求められている。これを解決するために、種々の有機溶剤除去システムが開発されてきた。
【０００３】
従来、この種の有機溶剤除去システムは、開放式洗浄槽の上端縁周囲に有機溶剤蒸気捕集用のダクトを配設し、吸引ブロワと回収装置に接続されたものが知られている（例えば、特許文献１参照）。
【０００４】
以下、そのシステムについて、図６を参照しながら説明する。
【０００５】
まず、図６において開放式洗浄槽のしくみを説明する。１０１は洗浄槽で、内部が液槽１０２と蒸気槽１０３に分かれており、液槽１０２には液体の有機溶剤１０４が貯留され、蒸気槽１０３の底部には少量の液体の有機溶剤１０４に浸されたヒータ１０５が備えつけられている。１０６は、洗浄槽１０１の外壁１０７内側周囲に配置された冷却管である。
【０００６】
つぎに、図６において洗浄工程を説明する。洗浄物１０８を昇降手段としてのクレーン１０９によって、まず上方から液槽１０２の液体有機溶剤１０４に浸漬させ洗浄し、つぎに蒸気槽１０３内に充満している有機溶剤蒸気に曝し蒸気洗浄し、その後上方へ引上げ洗浄工程は完了する。洗浄槽１０１内では、ヒータ１０５によって加熱沸騰した液体の有機溶剤１０４が蒸発し、有機溶剤蒸気となって蒸気槽１０３内に充満するのみならず、冷却管１０６の下部高さに形成されたベーパーライン１１０から下の空間に、高濃度蒸気層１１１として漂う。ベーパーライン１１０とは、高濃度蒸気層１１１と低濃度蒸気層１１２とを隔てる境界層で、一般に有機溶剤蒸気は比重が空気より重く、また冷却水を通すことにより冷却管１０６が十分冷却された場合は、有機溶剤蒸気が凝縮し体積減少とともに上昇拡散が妨げられるため、この境界層は安定して存在する。ただし、洗浄工程にあるように、洗浄物１０８を引上げた時には、洗浄物１０８の上昇とともに一部の高濃度有機溶剤蒸気も持出され、矢印ｃの如く洗浄槽１０１の上端縁１１３から溢れ出す。その時、有機溶剤蒸気は比重が空気より重いため、上端縁１１３に沿って溢れ出て、洗浄槽１０１周囲の下方に拡散する。なお、低濃度蒸気層１１２は、高濃度蒸気層１１１に比べると有機溶剤蒸気濃度は低いものの、洗浄物１０８の出入がない時でも、洗浄槽１０１内でゆっくりと拡散し、僅かずつではあるが洗浄槽１０１上方へ放散されるものである。
【０００７】
従来の有機溶剤除去システムは、このような洗浄槽１０１の上端縁１１３周囲にダクト１２１を配設し、前記ダクト１２１は有機溶剤蒸気を捕集するために洗浄槽１０１内側の横方向に開口部１２２を有するもので、捕集した有機溶剤蒸気は、配管１２３を介して吸引ブロワ１２４によって吸引され、回収装置１２５内で吸着剤による吸着、蒸気による熱脱着濃縮、冷却による液化の工程（いずれも図示せず）を経て液体の有機溶剤として回収されるものである。有機溶剤蒸気のこのような捕集方式による回収は、前述の洗浄工程における洗浄物１０８の出入がない時の、洗浄槽１０１上方への有機溶剤蒸気の放散を防止するという点においては極めて有効な手段である。
【０００８】
しかしながら、このような従来の有機溶剤回収システムでは、洗浄工程で洗浄物１０８を引上げた時に、洗浄物１０８の上昇とともに一部の高濃度有機溶剤蒸気も持出され、矢印ｃの如く洗浄槽１０１の上端縁１１３から溢れ出し、洗浄槽１０１内側横方向に開口したダクト１２１では高濃度有機溶剤蒸気を十分捕集することができない。
【０００９】
また、この高濃度有機溶剤蒸気を十分捕集するために吸引ブロワ１２４の吸引風量を増加させた場合は、開口部１２２が洗浄槽１０１内側に臨んでいるため低濃度蒸気層１１２付近の気流が乱れ、高濃度蒸気層１１１と低濃度蒸気層１１２を隔てているベーパーライン１１０が撹乱され、高濃度の有機溶剤蒸気を不要に巻上げることによって大量の有機溶剤を吸引することになり、その結果、回収装置１２５の能力を大きくする必要がある。
【特許文献１】実開平２−３２９２４号公報（第１−２頁、第１図）
【発明の開示】
【発明が解決しようとする課題】
【００１０】
このような従来の有機溶剤除去システムでは、洗浄物の出入がない場合は有機溶剤蒸気の放散を防止する効果はあるが、洗浄物の出入がある場合は引上げられる洗浄物とともに持出される高濃度有機溶剤蒸気を十分捕集することができず、有機溶剤蒸気が洗浄槽周囲に拡散し作業環境を悪化させるという課題があった。また、これを回避するために吸引風量を増加させた場合は、吸引される有機溶剤蒸気量が増加するため、処理装置が大型となりコストも高くなるという課題があった。
【００１１】
本発明は、このような従来の課題を解決するものであり、有機溶剤蒸気の捕集を確実にし周囲の作業環境の悪化を未然に防止するとともに、装置をコンパクトで安価に製作できるシステムを提供することを目的としている。
【課題を解決するための手段】
【００１２】
本発明の有機溶剤除去システムは、上記目的を達成するために、有機溶剤を貯留し上方が開放である洗浄槽の上端縁周囲に配設され有機溶剤の蒸気を吸引するために少なくとも上方向に開口した吸引口を有する吸引ダクトと、有機溶剤蒸気を回収または分解するために吸引ダクトに接続された処理装置とを備え、前記吸引口の上方向開口部の外周に立設された隔壁を有し、前記吸引口下方の前記洗浄槽外壁外周部に、空間としてのチャンバーを設けたものである。
【００１３】
この手段により、洗浄物の出入がある場合でも有機溶剤蒸気の捕集を確実にし、周囲の作業環境の悪化を未然に防止することができる。また、これにより、洗浄物とともに持出される有機溶剤蒸気の捕集をさらに確実にすることができる。また、これにより、上端縁周囲の吸引口から有機溶剤蒸気を均一に吸引することができ、有機溶剤蒸気の捕集をさらに確実にすることができる。
【００１８】
また、他の手段の吸引口は、上方向と洗浄槽内側の横方向の双方に開口したものである。
【００１９】
これにより、有機溶剤蒸気の捕集をさらに確実にすることができる。
【００２０】
また、他の手段の吸引ダクトは、上方向面から洗浄槽内側の横方向面にかけて曲面形状を成し、吸引ダクトの吸引口は、曲面形状を含む上方向面から横方向面にかけて開口したものである。
【００２１】
これにより、有機溶剤蒸気の捕集をさらに確実にすることができる。
【００２２】
また、他の手段は、吸引口の上方向開口部に開閉機構を設けたものである。
【００２３】
これにより、有機溶剤蒸気の吸引風量を最小限とし、処理装置をコンパクトで安価に製作することができる。
【００２４】
また、他の手段は、洗浄物を洗浄槽に出し入れする時に開閉機構が開となるような制御手段を設けたものである。
【００２５】
これにより、有機溶剤蒸気の吸引風量をさらに必要最小限とすることができる。
【００２６】
また、他の手段は、洗浄物を洗浄槽に出し入れするための昇降手段を有し、昇降手段が作動した時に開閉機構が開となるような制御手段を設けたものである。
【００２７】
これにより、有機溶剤蒸気の吸引風量をさらに必要最小限とすることができる。
【００２８】
また、他の手段は、洗浄物の移動を検知するセンサーを備え、センサーが洗浄物の洗浄槽への出し入れを検知した時に開閉機構が開となるような制御手段を設けたものである。
【００２９】
これにより、有機溶剤蒸気の吸引風量をさらに必要最小限とすることができる。
【００３０】
また、他の手段は、洗浄物の移動を検知するセンサーが赤外線検知方式のものである。
【００３１】
これにより、センサーのコストを安価にすることができる。
【００３２】
また、他の手段は、洗浄槽に貯留した有機溶剤の蒸気を、吸引ダクトの吸引口から吸引する際に、吸引風量を必要に応じて適宜調整可能とした送風手段を備えたものである。
【００３３】
これにより、有機溶剤蒸気の吸引風量を最小限とし、処理装置をコンパクトで安価に製作することができる。
【００３４】
また、他の手段は、洗浄槽に貯留した有機溶剤の蒸気を、吸引ダクトの吸引口から吸引する際に、吸引風量を洗浄槽の上端縁長さ１ｍ当り毎分０．５ｍ3から毎分５．０ｍ3の範囲に調整可能とした送風手段を備えたものである。
【００３５】
これにより、有機溶剤蒸気の捕集を確実にするとともに、ベーパーラインが撹乱され高濃度の有機溶剤蒸気を不要に巻上げることを防止し、処理装置をコンパクトで安価に製作することができる。
【００３６】
また、他の手段は、洗浄槽に貯留した有機溶剤の蒸気を、吸引ダクトの吸引口から吸引する際に、吸引口の上方向開口部の開閉機構を開にした時に、送風手段の吸引風量を所定量に増加させるものである。
【００３７】
これにより、有機溶剤蒸気の捕集を確実にし、周囲の作業環境の悪化を未然に防止することができる。
【００３８】
また、他の手段は、処理装置内に有機溶剤蒸気濃度を検知する検知器を備え、洗浄槽に貯留した有機溶剤の蒸気を、吸引ダクトの吸引口から吸引する際に、検知器が所定以上の有機溶剤蒸気濃度を検知した時に、送風手段の吸引風量を所定量に増加させるものである。
【００３９】
これにより、有機溶剤蒸気の捕集をさらに確実にし、周囲の作業環境の悪化を未然に防止することができる。
【発明の効果】
【００４４】
本発明によれば、洗浄物の出入がある場合でも有機溶剤蒸気の捕集を確実にし、周囲の作業環境の悪化を未然に防止する有機溶剤除去システムを提供できる。
【００４５】
また、上端縁周囲の吸引口から有機溶剤蒸気を均一に吸引することができ、有機溶剤蒸気の捕集をさらに確実にすることができる。
【００４６】
また、有機溶剤蒸気の吸引風量を必要最小限とし、処理装置をコンパクトで安価に製作することができる。
【００４７】
また、ベーパーラインが撹乱され高濃度の有機溶剤蒸気を不要に巻上げることを防止し、処理装置をコンパクトで安価に製作することができる。
【００４８】
また、センサーのコストを安価にすることができる。
【００４９】
また、システムをコンパクトにし、設置工事性を向上させることができる。
【発明を実施するための最良の形態】
【００５０】
本発明の請求項１記載の発明は、有機溶剤を貯留し上方が開放である洗浄槽の上端縁周囲に配設された吸引ダクトにおいて、有機溶剤の蒸気を吸引するための吸引口が少なくとも上方向に開口しているため、洗浄物の出入がある場合でも有機溶剤蒸気が洗浄槽の上端縁から溢れることなく有機溶剤蒸気の捕集を確実にし、周囲の作業環境の悪化を未然に防止するという作用を有する。また、吸引口の上方向開口部の外周に隔壁を立設したため、有機溶剤蒸気の捕集をさらに確実にするという作用を有する。また、吸引口下方の洗浄槽外壁外周部に、空間としてのチャンバーを設けたため、上端縁周囲の吸引口から有機溶剤蒸気を均一に吸引することができ、有機溶剤蒸気の捕集をさらに確実にするという作用を有する。
【００５３】
本発明の請求項２記載の発明は、吸引口が上方向と洗浄槽内側の横方向の双方に開口しているため、有機溶剤蒸気の捕集をさらに確実にするという作用を有する。
【００５４】
本発明の請求項３記載の発明は、吸引ダクトが上方向面から洗浄槽内側の横方向面にかけて曲面形状を成し、吸引ダクトの吸引口は曲面形状を含む上方向面から横方向面にかけて開口しているため、有機溶剤蒸気の捕集をさらに確実にするという作用を有する。
【００５５】
本発明の請求項４記載の発明は、吸引口の上方向開口部に開閉機構を設けたため、有機溶剤蒸気の吸引風量を最小限とし、処理装置をコンパクトで安価に製作できるという作用を有する。
【００５６】
本発明の請求項５記載の発明は、洗浄物を洗浄槽に出し入れする時に開閉機構が開となるような制御手段を設けたため、有機溶剤蒸気の吸引風量をさらに必要最小限にできるという作用を有する。
【００５７】
本発明の請求項６記載の発明は、洗浄物を洗浄槽に出し入れするための昇降手段を有し、昇降手段が作動した時に開閉機構が開となるような制御手段を設けたため、有機溶剤蒸気の吸引風量をさらに必要最小限にできるという作用を有する。
【００５８】
本発明の請求項７記載の発明は、洗浄物の移動を検知するセンサーを備え、センサーが洗浄物の洗浄槽への出し入れを検知した時に開閉機構が開となるような制御手段を設けたため、有機溶剤蒸気の吸引風量をさらに必要最小限にできるという作用を有する。
【００５９】
本発明の請求項８記載の発明は、洗浄物の移動を検知するセンサーが赤外線検知方式のものであるため、センサーのコストを安価にできるという作用を有する。
【００６０】
本発明の請求項９記載の発明は、洗浄槽に貯留した有機溶剤の蒸気を、吸引ダクトの吸引口から吸引する際に、吸引風量を必要に応じて適宜調整可能とした送風手段を備えたため、有機溶剤蒸気の吸引風量を最小限とし、処理装置をコンパクトで安価に製作できるという作用を有する。
【００６１】
本発明の請求項１０記載の発明は、洗浄槽に貯留した有機溶剤の蒸気を、吸引ダクトの吸引口から吸引する際に、吸引風量を洗浄槽の上端縁長さ１ｍ当り毎分０．５ｍ３から毎分５．０ｍ３の範囲に調整可能とした送風手段を備えたため、有機溶剤蒸気の捕集を確実にするとともに、ベーパーラインが撹乱され高濃度の有機溶剤蒸気を不要に巻上げることを防止し、処理装置をコンパクトで安価に製作できるという作用を有する。
【００６２】
本発明の請求項１１記載の発明は、洗浄槽に貯留した有機溶剤の蒸気を、吸引ダクトの吸引口から吸引する際に、吸引口の上方向開口部の開閉機構を開にした時に、送風手段の吸引風量を所定量に増加させるため、有機溶剤蒸気の捕集を確実にし、周囲の作業環境の悪化を未然に防止するという作用を有する。
【００６３】
本発明の請求項１２記載の発明は、処理装置内に有機溶剤蒸気濃度を検知する検知器を備え、洗浄槽に貯留した有機溶剤の蒸気を、吸引ダクトの吸引口から吸引する際に、検知器が所定以上の有機溶剤蒸気濃度を検知した時に、送風手段の吸引風量を所定量に増加させるため、有機溶剤蒸気の捕集をさらに確実にし、周囲の作業環境の悪化を未然に防止するという作用を有する。
【００６６】
以下、本発明の実施の形態について、図１〜図５を参照しながら説明する。
【００６７】
（実施の形態１）
図１は本発明の実施の形態１における有機溶剤除去システムの断面構成図、図２は本発明の実施の形態１における有機溶剤除去システムの要部拡大断面図、図３は本発明の実施の形態１における有機溶剤除去システムの平面図である。図１、図２、図３において、図６と同じ構成要素については同じ符号を用い、説明を省略する。
【００６８】
図１および図２において、１は洗浄槽１０１の上端縁１１３周囲に配設された吸引ダクトで、有機溶剤１０４の蒸気を吸引するための吸引口２として、上方向面３には上方向開口部４が、洗浄槽１０１内側の横方向面５には横方向開口部６が、それぞれ設けられている。７は上方向開口部４の外周に立設された隔壁、８は上方向開口部４に設けられた開閉機構である。９は、吸引口２下方の洗浄槽１０１の外壁１０７外周部に設けられた空間としてのチャンバーで、本発明の実施の形態１では最下部に配管１０が接続されている。なお、この吸引ダクト１は、上方から見た平面図では、図３の如く洗浄槽１０１の上端縁１１３周囲に万遍なく配置されており、本発明の実施の形態１では吸引口２は細長のスリット状に開口している。
【００６９】
１１は処理装置で、内部に送風手段としての送風機１２、有機溶剤蒸気濃度を検知する検知器１３、有機溶剤を処理する処理部１４、制御手段としての制御器１５を備え、送風機１２は配管１０に、処理部１４は排気管１６に、それぞれ接続されている。制御器１５は、電気配線１７を介して開閉機構８、送風機１２、検知器１３、処理部１４などに電気的に接続されている。１０９は、洗浄物１０８を洗浄槽１０１内へ出し入れさせるための昇降手段としてのクレーンである。なお、本発明の実施の形態１では、処理装置１１内に送風機１２と制御器１５を設けてある。このことによって、システムをコンパクトにし、設置工事性を向上させることができるものである。
【００７０】
つぎに、本実施の形態１における動作を説明する。洗浄槽１０１の上端縁１１３付近の有機溶剤蒸気は、送風機１２によって、横方向開口部６および上方向開口部４の吸引口２から吸引ダクト１内に捕集され、配管１０を通って処理装置１１の処理部１４に送られる。本発明の実施の形態１では、送られた有機溶剤蒸気が、処理部１４において、吸着剤による吸着、加熱による脱着濃縮、冷却による液化の工程（いずれも図示省略）を経て、液体の有機溶剤として回収されるもので、回収除去されたのちの気体は排気管１６から外部に排出される。ここで、有機溶剤蒸気の処理方法としては、液化回収以外にも濃縮した高濃度蒸気として回収し洗浄槽１０１に戻す方法もあり、また、回収せずに触媒燃焼やプラズマ分解などによって分解し無害化処理する方法もある。さらに、濃縮方法としては、熱を使わずに圧力差によって吸脱着を行う方法もある。本発明の吸引ダクト１による有機溶剤蒸気の捕集方法は、いずれの処理方法においても有効である。
【００７１】
洗浄工程における洗浄物１０８の出入がない場合は、洗浄槽１０１上方への有機溶剤蒸気の放散を防止するために、洗浄槽１０１内上部の低濃度蒸気層１１２付近の有機溶剤蒸気を、横方向開口部６および上方向開口部４の吸引口２から吸引ダクト１内に捕集して処理装置へ送る。この時、吸引口２の横方向開口部６は洗浄槽１０１の内側に向かって臨んでいるため、横方向開口部６からの吸引は少量の吸引風量で捕集することができ効果的である。一方、洗浄工程において洗浄物１０８を引上げた場合は、洗浄物１０８の上昇とともに一部の高濃度有機溶剤蒸気も持出され、矢印ａの如く洗浄槽１０１の上端縁１１３から外部へ溢れ出そうとする。この時、溢れ出そうとする有機溶剤蒸気の通り道の直下に、上方向開口部４が開口しているため、上方向開口部４からの吸引によって効果的に高濃度有機溶剤蒸気を捕集することができ、さらに、隔壁７の存在によって、高濃度有機溶剤蒸気の漏出防止効果を高めることができる。このことによって、洗浄槽１０１周囲の作業環境の悪化を未然に防止することができるものである。
【００７２】
また、吸引口２下方に空間としてのチャンバー９が設けられているが、これは、図３の平面図に示す配管接続部１８（４箇所）付近の吸引口２の吸引風量が多くなる傾向にあることに対し、チャンバー９によって吸引ダクト１内の圧力を均一化し、どこの吸引口２からも適正風量を吸引できるようにするためで、有機溶剤蒸気の捕集を確実にすることができる。
【００７３】
つぎに、この有機溶剤蒸気の捕集をさらに確実に行うための制御方法について説明する。図２の要部拡大断面図に示すように、開閉機構８が吸引口２の上方向開口部４に設けられており、この開閉機構８は、洗浄物１０８を洗浄槽１０１に出し入れする時に「開」となり、それ以外の時は「閉」となっている。これは、洗浄物１０８の出入がない時は、洗浄槽１０１上方への有機溶剤蒸気の放散を防止する目的で吸引口２から捕集する場合において、上方向開口部４を使わずに横方向開口部６のみから必要最小限の吸引風量で捕集する方が効果的なためである。すなわち、吸引風量を少なくすることによって処理装置１１の処理能力を小さくすることができ、システムをコンパクトで安価に製作することができるものである。なお、洗浄物１０８を洗浄槽１０１に出し入れする時に「開」とする具体的手段の一例として、昇降手段としてのクレーン１０９が作動した時に開閉機構８が「開」となるような制御器１５を設けることが有効である。
【００７４】
つぎに、この有機溶剤蒸気の捕集をさらに確実に行うための風量調整方法について説明する。図１の送風機１２は、制御器１５によって適正吸引風量になるように調整されている。ここでいう適正吸引風量とは、吸引風量が少なすぎると有機溶剤蒸気を十分捕集することができず、また、吸引風量が多すぎると低濃度蒸気層１１２付近の気流が乱れ、高濃度蒸気層１１１と低濃度蒸気層１１２を隔てているベーパーライン１１０が撹乱され、高濃度の有機溶剤蒸気を不要に巻上げることによって大量の有機溶剤を吸引することになり、処理装置１１を大型化しなければならないという問題があり、これらの条件から決まる適正風量範囲のことを指す。なお、ここでいう「低濃度」、「高濃度」とは、低濃度＝５０〜１００ｐｐｍ程度、高濃度＝１０〜２０％程度の濃度を指す。
【００７５】
有機溶剤の一例として、ジクロロメタン（塩化メチレン）を用いた実験によると、巾２ｍ、奥行１ｍの洗浄槽１０１において、上端縁１１３周囲（長さ６ｍ）から毎分１ｍ3（上端縁１ｍ当り毎分０．１７ｍ3）の風量で吸引した場合は、洗浄槽１０１上方の有機溶剤蒸気を十分捕集することができなかった。また、上端縁１１３周囲（長さ６ｍ）から毎分１２ｍ3（上端縁１ｍ当り毎分２ｍ3）の風量で吸引した場合は吸引した有機溶剤蒸気濃度が１００ｐｐｍ程度であったのに対し、毎分３６ｍ3（上端縁１ｍ当り毎分６ｍ3、３倍）の風量で吸引した場合は高濃度の有機溶剤蒸気を不要に巻上げることによって濃度が４００ｐｐｍ程度（４倍）まで上昇し、有機溶剤蒸気の総量としては１２倍程度まで増加することが判った。その結果、本発明の実施の形態１においては、吸引風量を洗浄槽１０１の上端縁１１３長さ１ｍ当り毎分０．５ｍ3から毎分５．０ｍ3の範囲に調整することが望ましい。
【００７６】
つぎに、この有機溶剤蒸気の捕集をさらに確実に行うための風量制御方法について説明する。洗浄物１０８の出入がない場合は、洗浄槽１０１上方への有機溶剤蒸気の放散を防止する目的で吸引口２から捕集するため前述の適正吸引風量範囲に調整すればよいが、
洗浄工程において洗浄物１０８を引上げた場合は、洗浄物１０８の上昇とともに持出された一部の高濃度有機溶剤蒸気を上方向開口部４の吸引口２から確実に捕集する必要があるため、制御器１５によって送風機１２の吸引風量を所定量、一例として通常の３倍の風量に増加させるように制御されている。これによって、有機溶剤蒸気が洗浄槽１０１から溢れ出ることなく、周囲の作業環境の悪化を未然に防止することができるものである。なお、吸引風量を増加させるタイミングは、上方向開口部４の開閉機構８を開にした時に行うのが望ましいが、それ以外にも、有機溶剤蒸気濃度を検知する検知器１３が所定以上の有機溶剤蒸気濃度、一例として４００ｐｐｍ以上の濃度を検知した時に行ってもよい。これは、洗浄槽１０１上方から吸引する有機溶剤蒸気濃度が異常に高くなった場合（例えば冷却管１０６による冷却機能の不具合でベーパーライン１１０が上昇した場合など）、高濃度有機溶剤蒸気が上端縁１１３から洗浄槽１０１外部に溢れ出すおそれがあり、その場合は吸引風量を増加させて漏出を防止することが必要なためである。
【００７７】
（実施の形態２）
図４は、本発明の実施の形態２における有機溶剤除去システムの要部拡大断面図である。図４において、図１、図２、図３、図６と同じ構成要素については同じ符号を用い、説明を省略する。
【００７８】
図４の実施の形態２では、吸引ダクト１の断面形状が、上方向面３から洗浄槽１０１内側の横方向面５にかけて曲面形状５１を成し、吸引ダクト１の吸引口２は、曲面形状５１を含む上方向面３から横方向面５にかけて開口したものである。
【００７９】
この構成は、洗浄工程において洗浄物１０８を引上げた場合や洗浄槽１０１上方の有機溶剤蒸気濃度が異常に高くなった場合などに、上端縁１１３から洗浄槽１０１外部に溢れ出そうとする有機溶剤蒸気が矢印ｂの如く流れるため、曲面形状５１を含む上方向面３から横方向面５にかけての吸引口によって有機溶剤蒸気を確実に捕集し、洗浄槽１０１周囲の作業環境の悪化を未然に防止することができるものである。
【００８０】
（実施の形態３）
図５は、本発明の実施の形態３における有機溶剤除去システムの断面構成図である。図５において、図１、図２、図３、図６と同じ構成要素については同じ符号を用い、説明を省略する。
【００８１】
図５の実施の形態３では、洗浄物１０８の移動を検知するセンサー５２を、洗浄槽１０１の上端縁１１３に設けたものである。
【００８２】
この構成において、制御器１５はセンサー５２が洗浄物１０８の洗浄槽１０１への出し入れを検知した時に開閉機構８が開となるような制御を行うもので、例えばクレーン１０９を使わずに手動で洗浄物１０８を洗浄槽１０１へ出し入れした場合でも、開閉機構８が確実に制御される。その結果、有機溶剤蒸気の吸引風量をさらに必要最小限にできるため、処理装置１１の処理能力を小さくすることができ、システムをコンパクトで安価に製作することができるものである。なお、センサー５２は物体の移動を検知するものであればよく、一般的には赤外線検知方式のものが安価で優れている。
【産業上の利用可能性】
【００８３】
本発明は、有機溶剤を用いて工業用部品などを洗浄する開放式洗浄槽に使用される、揮発性有機化合物（ＶＯＣ）排出抑制のための有機溶剤除去システムとして有用である。また、有機溶剤以外の有害物質排出抑制の用途にも適用できる。
【図面の簡単な説明】
【００８４】
【図１】本発明の実施の形態１の有機溶剤除去システムを示す断面構成図
【図２】本発明の実施の形態１の同要部拡大断面図
【図３】本発明の実施の形態１の同平面図
【図４】本発明の実施の形態２の有機溶剤除去システムを示す要部拡大断面図
【図５】本発明の実施の形態３の有機溶剤除去システムを示す断面構成図
【図６】従来の有機溶剤除去システムを示す断面構成図
【符号の説明】
【００８５】
１      吸引ダクト
２      吸引口
３      上方向面
４      上方向開口部
５      横方向面
７      隔壁
８      開閉機構
９      チャンバー
１１    処理装置
１２    送風機
１３    検知器
１５    制御器
５１    曲面形状
５２    センサー
１０１  洗浄槽
１０４  有機溶剤
１０７  外壁
１０８  洗浄物
１０９  クレーン
１１３  上端縁
【図１】
0004661604.tif 000002
【図２】
0004661604.tif 000003
【図３】
0004661604.tif 000004
【図４】
0004661604.tif 000005
【図５】
0004661604.tif 000006
【図６】
0004661604.tif 000007